(57)【要約】【課題】【解決手段】集積チップカード読み取り機が設けられたデータ入力装置は、装置のボトムに対し斜めに傾斜されたデスク領域（１０）にキー（１４）が設けられた入力パッドを有する。１つのチップカードのための受けスロット（１６）が、入力パッド方向から見ると、この後ろに配置され、装置のボトムに対し斜めに傾斜されており、この傾斜角度は、デスク領域（１０）の傾斜角度よりも大きい。おもり本体（２６）が、ボトムと受けスロット（１６）との間に残った空間に配置されている。
2004513404.tif 000002
【特許請求の範囲】
【請求項１】
集積チップカード読み取り機と入力パッドとを備えたデータ入力装置において、前記入力パッドは、装置のボトムに対し斜めに傾斜されたデスク領域に配置され、チップカードのための受けスロットが、入力パッド方向から見ると、この後ろに配置され、装置のボトムに対し所定角度で傾斜されており、この角度は、デスク領域の傾斜角度よりも大きいことを特徴とする、データ入力装置。
【請求項２】
前記受けスロットは、デスク領域の下で延びていることを特徴とする、請求項１のデータ入力装置。
【請求項３】
おもり本体が、前記ボトムと受けスロットとの間の空間に配置されていることを特徴とする、請求項１もしくは２のデータ入力装置。
【請求項４】
前記おもり本体は、受けスロットの挿入方向に対して直角にかつボトムの直上に位置された受け空間の中に挿入された金属ロッドによって形成されていることを特徴とする、請求項１のデータ入力装置。
【請求項５】
支持面が、チップカードのために形成され、受けスロットに外で隣接していることを特徴とする、請求項１乃至４のいずれか１のデータ入力装置。
【請求項６】
前記チップカードは、挿入時に、支持面を超えて突出していることを特徴とする、請求項５のデータ入力装置。
【請求項７】
前記チップカードは、挿入時に、この長さの約半分だけ受けスロットから突出していることを特徴とする、請求項５もしくは６のデータ入力装置。
【請求項８】
前記支持面は、デスク領域から離れてデスク領域に面する装置の後側を超えて突出していることを特徴とする、請求項５乃至７のいずれか１のデータ入力装置。
【請求項９】
前記受けスロットの傾斜角度は、デスク領域の傾斜角度のほぼ２倍であることを特徴とする、請求項１乃至８のいずれか１のデータ入力装置。
【請求項１０】
前記入力パッドは、キーパッドを有することを特徴とする、請求項１乃至９のいずれか１のデータ入力装置。
【請求項１１】
前記デスク領域の傾斜角度は、ほぼ２０度であり、また前記受けスロットの傾斜角度は、ほぼ４０度であることを特徴とする、請求項１０のデータ入力装置。
【請求項１２】
前記入力パッドは、指紋センサーを有することを特徴とする、請求項１乃至１１のいずれか１のデータ入力装置。
【請求項１３】
前記デスク領域の傾斜角度は、ほぼ３０度であり、また前記受けスロットの傾斜角度は、ほぼ６０度であることを特徴とする、請求項１２のデータ入力装置。
【請求項１４】
前記デスク領域は、平らであるように、かつ湾曲したハウジング面に隣接するように、形成されていることを特徴とする、請求項１乃至１３のいずれか１のデータ入力装置。
【発明の詳細な説明】
【０００１】
【発明の属する技術分野】
本発明は、入力パッドと集積チップカード読み取り機を有するデータ入力装置に関する。
【０００２】
【従来の技術】
チップカードは、特に財務上のトランスアクション、公衆衛生セクター、インターネットのアプリケーションにおける認証及び識別チェックのために、使用が増してきている。チップカードは、マイクロプロセッサーと、例えば保護された領域のＰＩＮコードを保存可能で、前記マイクロプロセッサーにより管理されるデータメモリとを有している。個人データの追加入力によって完成され得るこのようなチップカードを用いて、機密保護とコード化機能とが、果たされ得る。チップカードによって機密保護が果たされるトランスアクションの取り扱いのために、特にインターネットを介して、遠隔ネットワークへアクセス可能なデータ処理装置が使用されている。
【０００３】
【発明が解決しようとする課題】
適当なチップカード読み取り機が、ＰＣ型の広く使用されているデータ処理装置において、使用可能である。しかしながら、キーボードを介して追加個人データを入力するのは、この方法で入力されたデータがインタセプトされ得、かくして濫用され得るため、望ましくない。
【０００４】
【課題を解決するための手段】
本発明は、チップカード読み取り機が、個人データを入力するための入力パッドと部分的かつ機能的に結合され、人間工学上好ましいユニットを形成している、データ入力装置を提供する。本発明に係われば、入力パッドが、装置のボトムに対し斜めに傾斜されたデスク領域に配置されている。チップカードのための受けスロットが、入力パッド方向から見ると、この後ろに配置され、装置のボトムに対し斜めに傾斜されており、この角度は、デスク領域の傾斜角度よりも大きい。斜めに傾斜されたデスク領域が、代表的には、動作とディスプレイ部材を受けるように適合されている。デスク領域と比較して勾配が急であるチップカードのための受けスロットは、一方で、チップカードの挿入を導き、他方で、使用者の視野内で好ましい角度で、この一部が受けスロットから突出している状態を維持している。更に、チップカードが受けスロットから取り外されたときに摩擦及びレバー動作によって生じる影響が、有利に作用して、データ入力装置の安定位置を、装置の重量が大きくなくてさえも確実にしている。
【０００５】
データ入力装置の好ましい実施形態において、おもり本体、特に受けスロットの挿入方向に直角にかつボトムの直上に位置された受け空間に挿入されている金属ロッドは、ボトムと受けスロットとの間の残った空間に配置されている。受けスロットの最も好ましい傾斜角度と組み合わせて、この方法により、最小の重さの装置に、高い安定性が得られる。
【０００６】
用途に応じて、入力パッドは、キー、ディスプレイ部材、レタリング（ｌｅｔｔｅｒｉｎｇ）、操作部材並びに／もしくは指紋センサーを有する。キーボード（キーパッド）を使用する場合、デスク領域は、指紋センサーが使用されるときより勾配が緩やかなのが好ましい。
【０００７】
【発明の実施の形態】
本発明の更なる効果と特徴とは、図面を参照した２つの実施形態の以下の説明により明らかになるだろう。
図１並びに図２に示された実施形態において、データ入力装置は、装置のボトムに対し斜めに傾斜されたデスク領域１０を備えたデスク形状のハウジングとデスク領域１０の上後端に隣接し湾曲したハウジング本体１２とを有している。キー１４のグループを有する入力パッドは、デスク領域１０に配置されている。キー１４の上方に、表面領域が、レタリング機構、ディスプレイ手段、更に操作部材等のために、デスク領域１０に残されている。チップカード１８のための受けスロット１６が、湾曲したハウジング本体１２中に配置されている。この受けスロット１６は、デスク領域１０の下で、ハウジング本体１２中を延びている。挿入された状態のチップカード１８は、この約半分の長さだけ、受けスロットから突出している。受けスロット１６は、ハウジング本体１２と一体的に形成され、チップカード１８のための平らな支持面２２を形成している構造２０に外で隣接している。図２に見られるように、デスク領域１０は、装置のボトムに対してほぼ２０度の鋭角を成すように傾斜している。また、受けスロット１６は、装置のボトムに対して鋭角を成して傾斜するように配置されているが、この傾斜角度は、デスク領域１０の傾斜角度のほぼ２倍の大きさである。ハウジング本体１６の内方かつ装置のボトムの直上には、ほぼ円筒形の受け空間が、壁２４によって規定されている。金属ロッド２６の形状のおもり本体が、受けスロット１６の挿入方向に対して直角な壁によって規定された受け空間内に挿入されている。データ入力装置の残った内部空間は、電子部品等を備えた回路カードのような電子部材を収容するように、利用される。このデータ入力装置は、ケーブル、もしくは無線または赤外線トランスミッションによるワイヤレス方法により、データ処理装置（ＰＣ）に結合される。
【０００８】
図３並びに図４に示されたデータ入力装置の実施形態において、ほぼ半球形のハウジング３０が、設けられている。ハウジング３０のボトムに対し斜めに傾斜されたデスク領域３２は、ハウジングの上面側に、平面フラットになるように形成されている。デスク領域３２は、指紋センサー３４が設けられた入力パッド３２を形成している。前述の実施形態について説明されたように、チップカードのための受けスロット３６が、設けられている。受けスロット３６は、支持構造３８によって形成された、チップカードのための支持面４０に隣接している。デスク領域３２は、装置のボトムに対し約３０度の角度で傾斜している。同様に、チップカードのための受けスロット３６は、装置のボトムに対して斜めに傾斜しているが、この角度の大きさは、前記デスク領域の傾斜角度のほぼ２倍で、約６０度に等しい。
【０００９】
データ入力装置のこの実施形態の内方のデザインは、前述された実施形態の内方のデザインに類似しており、かくして、ここでは詳細の説明は行わない。
【００１０】
両実施形態において、チップカード読み取り機は、人間工学上好ましい魅力的な外観を有するデータ入力装置中の入力パッドに結合されている。
【図面の簡単な説明】
【図１】
図１は、データ入力装置の第１の実施形態の平面図である。
【図２】
図２は、図１のＩＩ−ＩＩ線に沿って切断された断面を示している。
【図３】
図３は、データ入力装置の第２の実施形態の正面図である。
【図４】
図４は、図３に説明されたデータ入力装置の側面図である。
【図１】
2004513404.tif 000003
【図２】
2004513404.tif 000004
【図３】
2004513404.tif 000005
【図４】
2004513404.tif 000006
【国際公開パンフレット】
2004513404.tif 000007
2004513404.tif 000008
2004513404.tif 000009
2004513404.tif 000010
2004513404.tif 000011
2004513404.tif 000012
2004513404.tif 000013
2004513404.tif 000014
2004513404.tif 000015
2004513404.tif 000016
【国際調査報告】
2004513404.tif 000017
2004513404.tif 000018
2004513404.tif 000019
2004513404.tif 000020